(57)【要約】【課題】スキューが顕著になり易い媒体を適切に給送することができる媒体給送装置、及び、これを備えた画像読取装置を提供する。【解決手段】スキャナー１に設けられる媒体給送装置１０は、媒体Ｐを載置可能な載置面１１ａを備える媒体載置部１１と、媒体載置部１１に設けられ、媒体Ｐの給送方向と交差する幅方向のエッジをガイドするガイド面１３ｂ、１３ａを備える一対の第１エッジガイド１２ｂ及び第２エッジガイド１２ａと、第１エッジガイド１２ｂと第２エッジガイド１２ａとの間で幅方向に延び、載置面１１ａに対する法線方向の位置が、ガイド面１３ｂ、１３ａの上端Ａと載置面１１ａとの間の中間位置Ｂより載置面１１ａ側にあり、媒体Ｐの載置面１１ａからの浮きを規制する第１状態と、第１エッジガイド１２ｂと第２エッジガイド１２ａとの間から退避する第２状態と、を切り換え可能な規制部２１とを備える。【選択図】図５
2019189425.tif 000002
【特許請求の範囲】
【請求項１】
給送される媒体を載置可能な載置面を備える媒体載置部と、
前記媒体載置部に設けられ、前記媒体の給送方向と交差する幅方向のエッジをガイドするガイド面を備える一対の第１エッジガイド及び第２エッジガイドと、
前記第１エッジガイドと前記第２エッジガイドとの間で前記幅方向に延び、前記載置面に対する法線方向の位置が、前記ガイド面の上端と前記載置面との間の中間位置より前記載置面側にあり、前記媒体の前記載置面からの浮きを規制する第１状態と、前記第１エッジガイドと前記第２エッジガイドとの間から退避する第２状態と、を切り換え可能な規制部と、を備える、
ことを特徴とする媒体給送装置。
【請求項２】
給送される媒体を載置可能な載置面を備える媒体載置部と、
前記媒体載置部に設けられ、前記媒体の給送方向と交差する幅方向のエッジをガイドするガイド面を備える一対の第１エッジガイド及び第２エッジガイドと、
前記第１エッジガイドと前記第２エッジガイドとの間で前記幅方向に延び、前記載置面に対する法線方向の位置が、前記媒体の前記載置面からの浮きを規制する位置であって前記媒体のエッジの前記ガイド面からの離間を規制する位置となる第１状態と、前記第１エッジガイドと前記第２エッジガイドとの間から退避する第２状態と、を切り換え可能な規制部と、を備える、
ことを特徴とする媒体給送装置。
【請求項３】
請求項１または請求項２に記載の媒体給送装置において、前記規制部は、前記第１状態において、前記載置面に対する法線方向において前記載置面に近接した位置にある、
ことを特徴とする媒体給送装置。
【請求項４】
給送される媒体を載置可能な載置面を備える媒体載置部と、
前記媒体載置部に設けられ、前記媒体の給送方向と交差する幅方向のエッジをガイドするガイド面を備える一対の第１エッジガイド及び第２エッジガイドと、
前記第１エッジガイドと前記第２エッジガイドとの間において、前記載置面に対して前記媒体を押し当てる第１状態と、前記載置面上の前記媒体から離間した第２状態と、の間で切り換え可能に構成され、前記第１状態において前記媒体の前記載置面からの浮きを規制する規制部と、を備える、
ことを特徴とする媒体給送装置。
【請求項５】
請求項４に記載の媒体給送装置において、
前記規制部は、前記媒体との接触部に給送方向に回転する回転体を備える、
ことを特徴とする媒体給送装置。
【請求項６】
請求項１から請求項５のいずれか一項に記載の媒体給送装置において、
前記規制部は、前記第１状態に切り換えた場合に、少なくとも前記媒体の前記幅方向における中央領域の前記載置面からの浮きを規制する、
ことを特徴とする媒体給送装置。
【請求項７】
請求項１から請求項３のいずれか一項に記載の媒体給送装置において、
前記規制部は、前記第１エッジガイドに設けられた回動軸を軸として回動することにより、前記第１状態と前記第２状態を切り換える構成である、
ことを特徴とする媒体給送装置。
【請求項８】
請求項７に記載の媒体給送装置において、
前記規制部は、前記第１状態に切り換えた場合に、自由端側が前記第２エッジガイドに掛け渡される構成である、
ことを特徴とする媒体給送装置。
【請求項９】
請求項８に記載の媒体給送装置において、
前記第２エッジガイドは、前記規制部の前記自由端側を受け入れる受け部を備え、
前記規制部は、前記自由端側が前記受け部に受け入れられた場合に、前記第２エッジガイドと前記第１エッジガイドとの間を所定の間隔に規定する位置決め部を備える、
ことを特徴とする媒体給送装置。
【請求項１０】
請求項７から請求項９のいずれか一項に記載の媒体給送装置において、
前記規制部は、前記第２状態に切り換えた場合に、前記第１エッジガイドに設けられた収納部に収納される構成である、
ことを特徴とする媒体給送装置。
【請求項１１】
請求項４または請求項５に記載の媒体給送装置において、
前記規制部は、前記媒体を給送する給送手段を内部に有する筐体に設けられた回動軸を軸として回動することにより、前記第１状態と前記第２状態とを切り換える構成である、
ことを特徴とする媒体給送装置。
【請求項１２】
前記媒体の画像を読み取る読取部と、
前記読取部に向けて前記媒体を給送する請求項１から請求項１１のいずれか一項に記載の前記媒体給送装置と、を備える、
ことを特徴とする画像読取装置。
【発明の詳細な説明】
【技術分野】
【０００１】
本発明は、媒体給送装置、及び媒体給送装置によって送られる媒体の画像を読み取る画像読取装置に関する。
【背景技術】
【０００２】
画像読取装置の一例であるスキャナーには、原稿である媒体の自動送り装置［ＡＤＦ（Ａｕｔｏ  Ｄｏｃｕｍｅｎｔ  Ｆｅｅｄｅｒ）とも呼ばれる］が媒体給送装置として設けられ、複数枚の媒体の自動送りと読み込みとを行える様に構成される場合がある。  
また、その様な媒体給送装置において、媒体を載置する媒体トレイに設けられ、媒体の幅方向のエッジをガイドするエッジガイドが、媒体サイズに応じて幅方向にスライド移動可能に構成されているものがある。
【０００３】
媒体給送装置において、媒体が斜めに傾いた状態で給送される現象であるスキューが発生する場合がある。  
媒体の給送時のスキューを抑制するため、特許文献１及び特許文献２においては、媒体の幅方向端部の上方への移動を規制する上方規制部（特許文献１における上ガイド２２、３２、特許文献２の上ガイド部１２）をエッジガイドに設けることが開示されている。
【先行技術文献】
【特許文献】
【０００４】
【特許文献１】特開２０１７−１６５５７５号公報
【特許文献２】特開２００２−２５５３５７号公報
【発明の概要】
【発明が解決しようとする課題】
【０００５】
特許文献１及び特許文献２において、上方規制部は、エッジガイドのガイド面（特許文献１における内側面２１１、３１１、特許文献２における幅ガイド部１１）の上端に設けられている。すなわち、媒体トレイの載置面から上方規制部との間にある程度の間隔が設けられている。
【０００６】
ここで、スキャナーにおいて、例えば、レジスターで印字されたレシートのように、幅狭で長尺の媒体を読み取りたいというユーザーの要望がある。  
媒体の幅が広い場合、媒体の幅方向端部が媒体トレイの載置面から上方規制部まで移動しても、その移動距離は媒体幅に対して短いので、媒体の大きなスキューとしては表れにくい。しかし、媒体の幅が狭い場合、媒体の幅方向端部が媒体トレイの載置面から上方規制部まで移動すると、その移動距離が媒体幅に対して長いので、媒体の大きなスキューとなって表れる。特に、幅狭の媒体が長尺である場合には、媒体が給送されるに従って、媒体の幅方向端部の上方規制部までの移動量に基づくスキューが累積して、媒体が大きく捻れることがある。
【０００７】
そこで本発明の目的は、スキューが顕著になり易い媒体を適切に給送することができる媒体給送装置、及び、これを備えた画像読取装置を提供することにある。
【課題を解決するための手段】
【０００８】
上記課題を解決する為の、本発明の第１の態様に係る媒体給送装置は、給送される媒体を載置可能な載置面を備える媒体載置部と、前記媒体載置部に設けられ、前記媒体の給送方向と交差する幅方向のエッジをガイドするガイド面を備える一対の第１エッジガイド及び第２エッジガイドと、前記第１エッジガイドと前記第２エッジガイドとの間で前記幅方向に延び、前記載置面に対する法線方向の位置が、前記ガイド面の上端と前記載置面との間の中間位置より前記載置面側にあり、前記媒体の前記載置面からの浮きを規制する第１状態と、前記第１エッジガイドと前記第２エッジガイドとの間から退避する第２状態と、を切り換え可能な規制部と、を備える、ことを特徴とする。
【０００９】
本態様によれば、媒体給送装置は、前記第１エッジガイドと前記第２エッジガイドとの間で前記幅方向に延び、前記載置面に対する法線方向の位置が、前記ガイド面の上端と前記載置面との間の中間位置より前記載置面側にあり、前記媒体の前記載置面からの浮きを規制する第１状態と、前記第１エッジガイドと前記第２エッジガイドとの間から退避する第２状態と、を切り換え可能な規制部を備えるので、前記規制部を前記第１状態とすることにより、前記規制部を前記第２状態にした場合よりも、媒体におけるスキューの発生を抑制することができる。  
また、例えば、スキューの発生の虞が低い媒体を給送する場合に、前記規制部を前記第２状態とすることにより、前記規制部を前記第１状態にした場合よりも、前記媒体載置部における媒体の積載可能枚数を多くすることができる。
【００１０】
本発明の第２の態様に係る媒体給送装置は、給送される媒体を載置可能な載置面を備える媒体載置部と、前記媒体載置部に設けられ、前記媒体の給送方向と交差する幅方向のエッジをガイドするガイド面を備える一対の第１エッジガイド及び第２エッジガイドと、前記第１エッジガイドと前記第２エッジガイドとの間で前記幅方向に延び、前記載置面に対する法線方向の位置が、前記媒体の前記載置面からの浮きを規制する位置であって前記媒体のエッジの前記ガイド面からの離間を規制する位置となる第１状態と、前記第１エッジガイドと前記第２エッジガイドとの間から退避する第２状態と、を切り換え可能な規制部と、を備える、ことを特徴とする。
【００１１】
本態様によれば、媒体給送装置は、前記第１エッジガイドと前記第２エッジガイドとの間で前記幅方向に延び、前記載置面に対する法線方向の位置が、前記媒体の前記載置面からの浮きを規制する位置であって前記媒体のエッジの前記ガイド面からの離間を規制する位置となる第１状態と、前記第１エッジガイドと前記第２エッジガイドとの間から退避する第２状態と、を切り換え可能な規制部を備えるので、前記規制部を前記第１状態とすることにより、前記規制部を前記第２状態にした場合よりも、媒体におけるスキューの発生を抑制することができる。  
また、例えば、スキューの発生の虞が低い媒体を給送する場合に、前記規制部を前記第２状態とすることにより、前記規制部を前記第１状態にした場合よりも、前記媒体載置部における媒体の積載可能枚数を多くすることができる。
【００１２】
本発明の第３の態様は、第１の態様または第２の態様において、前記規制部は、前記第１状態において、前記載置面に対する法線方向において前記載置面に近接した位置にある、ことを特徴とする。
【００１３】
本明細書において、「載置面に近接した位置」とは、規制部が載置面との間に１枚乃至数枚の媒体を載置できる程度の間隔（例えば２〜３ｍｍ）となる位置を言う。  
本態様によれば、前記規制部は、前記第１状態において、前記載置面に対する法線方向において前記載置面に近接した位置にあるので、前記規制部が前記第１状態の場合に、より効果的に媒体におけるスキュー発生を抑制することができる。
【００１４】
本発明の第４の態様に係る媒体給送装置は、給送される媒体を載置可能な載置面を備える媒体載置部と、前記媒体載置部に設けられ、前記媒体の給送方向と交差する幅方向のエッジをガイドするガイド面を備える一対の第１エッジガイド及び第２エッジガイドと、前記第１エッジガイドと前記第２エッジガイドとの間において、前記載置面に対して前記媒体を押し当てる第１状態と、前記載置面上の前記媒体から離間した第２状態と、の間で切り換え可能に構成され、前記第１状態において前記媒体の前記載置面からの浮きを規制する規制部と、を備える、ことを特徴とする。
【００１５】
本態様によれば、前記媒体給送装置は、前記第１エッジガイドと前記第２エッジガイドとの間において、前記載置面に対して前記媒体を押し当てる第１状態と、前記載置面上の前記媒体から離間した第２状態と、の間で切り換え可能に構成され、前記第１状態において前記媒体の前記載置面からの浮きを規制する規制部を備えるので、前記規制部を前記第１状態とすることにより、前記規制部を前記第２状態にした場合よりも、媒体におけるスキューの発生を抑制することができる。  
また、例えば、スキューの発生の虞が低い媒体を給送する場合に、前記規制部を前記第２状態とすることにより、前記規制部を前記第１状態にした場合よりも、前記媒体載置部における媒体の積載可能枚数を多くすることができる。
【００１６】
本発明の第５の態様は、第４の態様において、前記規制部は、前記媒体との接触部に給送方向に回転する回転体を備える、ことを特徴とする。
【００１７】
本態様によれば、前記規制部は、前記媒体との接触部に給送方向に回転する回転体を備えるので、前記規制部が前記媒体を押さえることにより生じる搬送抵抗を低減できる。
【００１８】
本発明の第６の態様は、第１の態様から第５の態様のいずれかにおいて、前記規制部は、前記第１状態に切り換えた場合に、少なくとも前記媒体の前記幅方向における中央領域の前記載置面からの浮きを規制する、ことを特徴とする。
【００１９】
本態様によれば、前記規制部は、前記第１状態に切り換えた場合に、少なくとも前記媒体の前記幅方向における中央領域の前記載置面からの浮きを規制するので、媒体が載置面から浮くことを効果的に抑制することができる。
【００２０】
本発明の第７の態様は、第１の態様から第３の態様のいずれかにおいて、前記規制部は、前記第１エッジガイドに設けられた回動軸を軸として回動することにより、前記第１状態と前記第２状態を切り換える構成である、ことを特徴とする。
【００２１】
本態様によれば、前記規制部は、前記第１エッジガイドに設けられた回動軸を軸として回動することにより、前記規制部の前記第１状態と前記第２状態とを切り換える構成を容易に実現できる。
【００２２】
本発明の第８の態様は、第７の態様において、前記規制部は、前記第１状態に切り換えた場合に、自由端側が前記第２エッジガイドに掛け渡される構成である、ことを特徴とする。
【００２３】
本態様によれば、前記規制部は、前記第１状態に切り換えた場合に、自由端側が前記第２エッジガイドに掛け渡される構成であるので、前記規制部が前記媒体を幅方向に亘って押さえ、媒体におけるスキュー発生の抑制の確実性を高めることができる。
【００２４】
本発明の第９の態様は、第８の態様において、前記第２エッジガイドは、前記規制部の前記自由端側を受け入れる受け部を備え、前記規制部は、前記自由端側が前記受け部に受け入れられた場合に、前記第２エッジガイドと前記第１エッジガイドとの間を所定の間隔に規定する位置決め部を備える、ことを特徴とする。
【００２５】
本態様によれば、前記第２エッジガイドは、前記規制部の前記自由端側を受け入れる受け部を備え、前記規制部は、前記自由端側が前記受け部に受け入れられた場合に、前記第２エッジガイドと前記第１エッジガイドとの間を所定の間隔に規定する位置決め部を備えるので、前記第２エッジガイドと前記第１エッジガイドとの間を所定の間隔にすることができる。
【００２６】
本発明の第１０の態様は、第７の態様から第９の態様のいずれかにおいて、前記規制部は、前記第２状態に切り換えた場合に、前記第１エッジガイドに設けられた収納部に収納される構成である、ことを特徴とする。
【００２７】
本態様によれば、前記規制部は、前記第２状態に切り換えた場合に、前記第１エッジガイドに設けられた収納部に収納される構成であるので、前記規制部による媒体押さえが不要な場合に前記規制部を収納することができる。
【００２８】
本発明の第１１の態様は、第４の態様または第５の態様において、前記規制部は、前記媒体を給送する給送手段を内部に有する筐体に設けられた回動軸を軸として回動することにより、前記第１状態と前記第２状態とを切り換える構成である、ことを特徴とする。
【００２９】
本態様によれば、前記規制部は、前記媒体を給送する給送手段を内部に有する筐体に設けられた回動軸を軸として回動することにより、前記規制部を第１状態と第２状態との間で切り換える構成を容易に実現できる。
【００３０】
本発明の第１２の態様に係る画像読取装置は、前記媒体の画像を読み取る読取部と、前記読取部に向けて前記媒体を給送する第１の態様から第１１の態様のいずれかの前記媒体給送装置と、を備えることを特徴とする。
【００３１】
本態様によれば、前記媒体の画像を読み取る読取部と、前記読取部に向けて前記媒体を給送する媒体給送装置を備える画像読取装置において、第１の態様から第１１の態様のいずれかと同様の作用効果が得られる。
【図面の簡単な説明】
【００３２】
【図１】第１実施形態に係るスキャナーを示す外観斜視図。
【図２】第１実施形態に係るスキャナーにおける媒体搬送経路を示す側断面図。
【図３】第１実施形態に係る媒体給送装置において、規制部が第１エッジガイドに収納された第２状態を示す図。
【図４】第１実施形態に係る媒体給送装置において、規制部を図３に示す第２状態と第１状態との間で切り替える途中の状態を示す図。
【図５】第１実施形態に係る媒体給送装置において、規制部の第１状態を示す図。
【図６】図５の側断面図。
【図７】規制部が第２状態である媒体給送装置において、細長い媒体が載置面から浮いている状態を示す図。
【図８】規制部の変更例について説明する図。
【図９】第２実施形態に係る媒体給送装置において、規制部の第２状態を示す図。
【図１０】第２実施形態に係る媒体給送装置において、規制部を図９に示す第２状態と第１状態との間で切り替える途中の状態を示す図。
【図１１】第２実施形態に係る媒体給送装置において、規制部の第１状態を示す図。
【図１２】第２実施形態に係るスキャナーの側断面図。
【発明を実施するための形態】
【００３３】
［第１実施形態］
まず、本発明の一実施形態に係る画像読取装置の概略について説明する。本実施形態では画像読取装置の一例として、媒体の表面及び裏面の少なくとも一面を読み取り可能なドキュメントスキャナー１（以下、単にスキャナー１と称する）を例に挙げる。
【００３４】
尚、各図において示すＸ−Ｙ−Ｚ座標系はＸ方向が装置幅方向であり媒体幅方向、Ｙ方向が媒体搬送方向である。Ｚ方向はＹ方向と交差する方向であって、概ね搬送される媒体の面と直交する方向を示している。また、＋Ｙ方向側を装置前面側とし、−Ｙ方向側を装置背面側とする。また、装置前面側から見て左側を＋Ｘ方向、右側を−Ｘ方向とする。また、＋Ｚ方向を装置上方（上部、上面等を含む）とし、−Ｚ方向側を装置下方（下部、下面等を含む）とする。また、媒体が給送されていく方向（＋Ｙ方向側）を「下流」といい、これと反対の方向（−Ｙ方向側）を「上流」という。
【００３５】
■■■スキャナーの概要■■■
以下、図１−図３を参照して、本発明に係るスキャナー１について説明する。  
図１に示すスキャナー１は、媒体Ｐの画像を読み取る読取部２０（図２）と、読取部２０に向けて媒体を給送する媒体給送装置１０と、を内部に備える筐体２を備えている。  
筐体２は、下部ユニット３及び上部ユニット４を備えて構成されている。上部ユニット４は下部ユニット３に対して媒体搬送方向下流側を回動支点として開閉可能に取り付けられており、上部ユニット４を装置前面側に回動して開き、媒体Ｐの媒体搬送経路（図２において点線で示す）を露呈させて媒体Ｐの紙詰まりの処理を容易に行うことができる様に構成されている。
【００３６】
図１において、筐体２の装置背面側（−Ｙ方向側）には、媒体給送装置１０を構成する媒体載置部１１と、第１エッジガイド１２ｂ及び第２エッジガイド１２ａと、規制部２１と、が設けられている（図３も参照）。  
媒体載置部１１は、給送される媒体Ｐを載置する載置面１１ａを備えている。媒体載置部１１は、筐体２に対して着脱可能に設けられている。
【００３７】
第１エッジガイド１２ｂ及び第２エッジガイド１２ａは、媒体載置部１１に一対で設けられ、媒体Ｐの給送方向（Ｙ軸方向）と交差する幅方向（Ｘ軸方向）のエッジをガイドするガイド面１３ｂ及びガイド面１３ａを備えている。第１エッジガイド１２ｂはガイド面１３ｂを形成し、第２エッジガイド１２ａはガイド面１３ａを形成している。  
第２エッジガイド１２ａのガイド面１３ａには、媒体載置部１１に載置可能な最大枚数の媒体Ｐを載置したときの上限位置を示す標識２５が設けられている。図１においては見えていないが、第１エッジガイド１２ｂのガイド面１３ｂにも同様の標識２５が設けられている。
【００３８】
第１エッジガイド１２ｂ及び第２エッジガイド１２ａは、媒体Ｐのサイズに応じてＸ軸方向にスライド移動可能に設けられている。本実施形態において、第１エッジガイド１２ｂ及び第２エッジガイド１２ａは、公知のラックピニオン機構により一方のエッジガイド（例えば第１エッジガイド１２ｂ）のＸ移動に追従して、他方のエッジガイド（第２エッジガイド１２ａ）が相対する方向に移動するように構成されている。  
このことによって、媒体載置部１１に載置される媒体Ｐは幅方向の中央に揃えられる。  
図１は、エッジガイド１２、１２が最も外側の位置にある状態であり、図３は、エッジガイド１２、１２が最も内側にある状態を示している。  
本発明の特徴部分である規制部２１については後で詳述する。
【００３９】
図１及び図３に示す媒体載置部１１は、第１補助ペーパーサポート８及び第２補助ペーパーサポート９を備えている。第１補助ペーパーサポート８及び第２補助ペーパーサポート９は、図３に示す様に媒体載置部１１の内部に収納可能であり、且つ、図１に示す様に媒体載置部１１から引き出し可能に構成され、載置面１１ａの長さを調整可能になっている。
【００４０】
図１に示す筐体２は、上部ユニット４の装置前面側（＋Ｙ方向側）に、各種読み取り設定や読み取り実行の操作を行ったり、読み取り設定内容等を表示したりする操作パネル７を備えている。  
上部ユニット４の上部には筐体２内部に連なる給送口６が設けられており、媒体載置部１１に載置される媒体Ｐは、給送口６から読取部２０（図２）に向けて送られる。  
また、下部ユニット３の装置前面側には、後述する排紙トレイ５が設けられている。
【００４１】
■■■スキャナーにおける媒体搬送経路について■■■
次に、図２を参照して、スキャナー１における媒体搬送経路について説明する。尚、図２において符号Ｐで示す点線は媒体搬送経路に沿って搬送される媒体Ｐを示している。  
媒体載置部１１の下流側には、媒体載置部１１の載置面１１aに載置された媒体Ｐを読取部２０に向けて送る「給送手段」としての給送ローラー１４と、給送ローラー１４との間で媒体Ｐをニップして分離する分離ローラー１５を備えている。
【００４２】
媒体載置部１１の載置面１１aに載置された媒体Ｐは、下部ユニット３に対して回転可能に設けられた給送ローラー１４によりピックアップされて下流側（＋Ｙ方向側）に給送される。具体的には、媒体Ｐの載置面１１ａに対向する面に、給送ローラー１４が接触しつつ回転することにより、媒体Ｐを下流側に向けて給送する。したがって、スキャナー１において複数枚の媒体Ｐを媒体載置部１１にセットした場合には、載置面１１ａ側の媒体Ｐから順に下流側に向けて給送される。  
尚、給送ローラー１４及び分離ローラー１５は、幅方向（Ｘ軸方向）の中央領域に設けられており、媒体Ｐは、センター給紙方式で給紙されるように構成されている。
【００４３】
給送ローラー１４の下流側には、搬送ローラー対１６と、画像を読み取る読取部２０と、排出ローラー対１７とが設けられている。給送ローラー１４により下流側に給送された媒体Ｐは、搬送ローラー対１６にニップされて、搬送ローラー対１６の下流側に位置する読取部２０に搬送される。
【００４４】
読取部２０は、上部ユニット４側に設けられた上部読取センサー２０ａと、下部ユニット３側に設けられた下部読取センサー２０ｂとを備えている。本実施形態において、上部読取センサー２０ａ及び下部読取センサー２０ｂは一例として密着型イメージセンサーモジュール（ＣＩＳＭ）として構成されている。
【００４５】
媒体Ｐは、読取部２０において媒体Ｐの表面及び裏面の少なくとも一方の面の画像を読み取られた後、読取部２０の下流側に位置する排出ローラー対１７にニップされて下流側に送られて、筐体２の装置前面側に設けられた排出口１８から排出される。  
尚、本実施形態において給送ローラー１４、搬送ローラー対１６、及び排出ローラー対１７は、下部ユニット３内に設けられた少なくとも１つの駆動源（不図示）により回転駆動される。また、駆動源は図示を省略する制御部により制御され、以って、給送ローラー１４、搬送ローラー対１６、及び排出ローラー対１７の駆動が制御されている。
【００４６】
下部ユニット３には、排出口１８から装置前面側に向けて引き出し可能に構成された排紙トレイ５が設けられている。排紙トレイ５は、下部ユニット３の底部に収納された状態（図１）と、図示を省略する装置前面側に引き出した状態とを取り得る。排紙トレイ５を引き出した状態において、排出口１８から排出された媒体Ｐを排紙トレイ５上に積載することができる。
【００４７】
■■■規制部について■■■
続いて、図３〜図６を参照して、媒体給送装置１０に設けられる規制部２１について説明する。  
図３〜図６に示す規制部２１は、後述する第１状態（図５）と第２状態（図３）とを切り換え可能に構成されている。  
第１状態は、図５に示すように、第１エッジガイド１２ｂと第２エッジガイド１２ａとの間で幅方向（Ｘ軸方向）に延び、図６に示すように、載置面１１ａに対する法線方向（＋Ｚ方向）の位置が、ガイド面１３ｂ、１３ａの上端Ａ（図６の二点鎖線で示す位置）と載置面１１ａとの間の中間位置Ｂ（図６の一点鎖線で示す位置）より載置面１１ａにあり、媒体Ｐの載置面１１ａからの浮きを規制する状態である。尚、ガイド面１３ｂ、１３ａは、載置面１１ａに対する法線方向において、標識２５より上方では媒体Ｐをガイドしないので、ガイド面１３ｂ、１３ａの上端Ａは、標識２５と重なる位置である。  
第２状態は、図３に示すように、第１エッジガイド１２ｂと第２エッジガイド１２ａとの間から退避する状態である。
【００４８】
尚、後で説明するが、図３は、規制部２１が第１エッジガイド１２ｂの収納部２４に収納された状態であり、図４は、規制部２１が第１状態（図５）と、収納部２４に収納される状態（図３）と、の間の切り換え途中の状態を示している。図４の状態も、規制部２１は第１エッジガイド１２ｂと第２エッジガイド１２ａとの間から退避しているので、第２状態であると言える。以下においては、規制部２１の第２状態は、図３を参照して説明する。
【００４９】
ここで、スキャナー１において、例えばレジスターで印字されたレシートのように細長い媒体Ｐ（図７）を読み取る場合がある。媒体給送装置１０において細長い媒体Ｐを給送しようとする場合、媒体Ｐが長いことによって給送時のスキューが累積し、図７に示すように媒体Ｐが捻れることがある。また、長い媒体Ｐが第１補助ペーパーサポート８や第２補助ペーパーサポート９から垂れ下がると、垂れ下がった媒体Ｐの自重によっても、載置面１１ａ上の媒体Ｐが捻れる場合がある。  
媒体Ｐが捻れると、図７のように媒体ＰのエッジＥ１、Ｅ２がガイド面１３ｂ、１３ａから離間して、第１エッジガイド１２ｂ及び第２エッジガイド１２ａのガイド機能が果たされなくなるので、媒体Ｐのスキューは更に大きくなる虞がある。
【００５０】
このような場合に、規制部２１を第１状態（図５）とすることにより、媒体Ｐの載置面１１ａからの浮き上がりを規制し、媒体ＰのエッジＥ１、Ｅ２がガイド面１３ｂ、１３ａから離間することを抑制することができるので、規制部２１を第２状態（図３）にした場合よりも、媒体Ｐにおけるスキューの発生を抑えることができる。
【００５１】
本実施形態において、規制部２１は、第１状態（図５）において、図６に示すように、載置面１１ａに対する法線方向（＋Ｚ方向）において載置面１１ａに近接した位置にある。  
図６において、規制部２１と載置面１１ａとの間は、１枚乃至数枚の媒体Ｐを載置できる程度の間隔であり、一例として数ｍｍ（２〜３ｍｍ）の距離である。  
規制部２１が、第１状態（図５）において、載置面１１ａに対して近い位置にあることにより、より確実に媒体Ｐを押さえ、一層効果的に媒体Ｐにおけるスキューの発生を抑制することができる。
【００５２】
規制部２１を第１状態（図５）にすると、媒体載置部１１には数枚の媒体Ｐしか載置することができなくなるが、規制部２１は第１状態（図５）と第２状態（図３）とを切り換え可能に構成されているので、媒体Ｐが細長いレシートのような媒体よりもスキューの発生の虞が低い媒体（例えば、Ａ４、Ｂ５等の規格サイズの媒体や、媒体種類が普通紙や厚紙等）である場合には、規制部２１を第２状態（図３）とすることにより、規制部２１を第１状態（図５）にした場合よりも、媒体載置部１１における媒体Ｐの積載可能枚数を多くすることができる。規制部２１が第２状態（図３）の場合、媒体Ｐは、媒体載置部１１における最大積載枚数まで（図６における上端Ａの位置まで）載置することができる。
【００５３】
また、規制部２１は、図５のように第１状態に切り換えた場合に、自由端側が第２エッジガイド１２ａに掛け渡される構成である。第２エッジガイド１２ａは、規制部２１の自由端側を受け入れる受け部２２（図４）を備えている。  
このことによって、規制部２１が媒体Ｐを幅方向に亘って押さえるので、媒体Ｐにおけるスキュー発生の抑制の確実性を一層高めることができる。  
尚、規制部２１は、自由端側が受け部２２に係合した場合に、載置面１１ａと概ね平行になるように構成されている。
【００５４】
＜＜＜規制部の第１状態と第２状態との切換構成について＞＞＞
規制部２１の第１状態と第２状態との切り換えは、以下のような構成により実現できる。  
すなわち、規制部２１は、第１エッジガイド１２ｂに設けられた回動軸２３を軸として回動することにより、第１状態（図５）と第２状態（図３）を切り換える構成である。
【００５５】
また、規制部２１は、第２状態（図３）に切り換えた場合に、第１エッジガイド１２ｂに設けられた収納部２４に収納される構成である。  
収納部２４（図４）は、第１エッジガイド１２ｂの−Ｘ方向側の面（ガイド面１３ｂの反対面）にスリット状に設けられており、第１エッジガイド１２ｂの幅方向（Ｘ軸方向）の厚み内に納められるようになっている。  
この構成によって、規制部２１による媒体押さえが不要な場合には、規制部２１を収納部２４に収納することができる。
【００５６】
＜＜＜規制部における他の構成＞＞＞
第２エッジガイド１２ａは、規制部２１の自由端側を受け入れる受け部２２（図４）を備え、規制部２１は、自由端側が受け部２２に受け入れられた場合に、第２エッジガイド１２ａと第１エッジガイド１２ｂとの間を所定の間隔に規定する位置決め部２７ａ、２７ｂ（図４、図５）を備えている。
【００５７】
位置決め部２７ａ、２７ｂとしては、例えばラッチ構造、或いはスナップフィット構造等の、固定と解除とを容易に切り替えられる構成が用いられる。  
細長い媒体Ｐの一例であるレシートには、規格サイズとして幅５０ｍｍのものと幅８０ｍｍのものがある。本実施形態において、位置決め部２７ａは、第２エッジガイド１２ａと第１エッジガイド１２ｂとの間を幅５０ｍｍのレシートに対応する間隔に位置決めするものであり、位置決め部２７ｂは、第２エッジガイド１２ａと第１エッジガイド１２ｂとの間を幅８０ｍｍのレシートに対応する間隔に位置決めするものである。  
規制部２１に位置決め部２７ａ、２７ｂが設けられていることにより、第２エッジガイド１２ａと第１エッジガイド１２ｂとの間を所定の間隔にすることができる。
【００５８】
また、規制部２１の自由端はＬ字状に形成されて当接部２６が形成されている。当接部２６は、第２エッジガイド１２ａと第１エッジガイド１２ｂとの間が幅８０ｍｍに対応する間隔より広くならないように、第２エッジガイド１２ａの＋Ｘ方向への移動を規制する構成部である。
【００５９】
以上、説明した第１実施形態に係る媒体給送装置１０について纏めると、以下のようになる。  
図３〜図６に示す媒体給送装置１０は、給送される媒体Ｐを載置可能な載置面１１ａを備える媒体載置部１１と、媒体載置部１１に設けられ、媒体Ｐの給送方向（＋Ｙ方向）と交差する幅方向（Ｘ軸方向）のエッジＥをガイドするガイド面１３ｂ、１３ａを備える一対の第１エッジガイド１２ｂ及び第２エッジガイド１２ａと、第１エッジガイド１２ｂと第２エッジガイド１２ａとの間で幅方向に延び、載置面１１ａに対する法線方向（＋Ｚ方向）の位置が、ガイド面１３ｂ、１３ａの上端Ａ（図６）と載置面１１ａとの間の中間位置Ｂ（図６）より載置面１１ａ側にあり、媒体Ｐの載置面１１ａからの浮きを規制する第１状態（図５）と、第１エッジガイド１２ｂと第２エッジガイド１２ａとの間から退避する第２状態（図３）と、を切り換え可能な規制部２１と、を備えている。
【００６０】
また、別観点で言い換えると、媒体給送装置１０は、給送される媒体Ｐを載置可能な載置面１１ａを備える媒体載置部１１と、媒体載置部１１に設けられ、媒体Ｐの給送方向（＋Ｙ方向）と交差する幅方向（Ｘ軸方向）のエッジＥをガイドするガイド面１３ｂ、１３ａを備える一対の第１エッジガイド１２ｂ及び第２エッジガイド１２ａと、第１エッジガイド１２ｂと第２エッジガイド１２ａとの間で幅方向に延び、載置面１１ａに対する法線方向（＋Ｚ方向）の位置が、媒体Ｐの載置面１１ａからの浮きを規制する位置であって媒体ＰのエッジＥのガイド面１３ｂ、１３ａからの離間（図７の状態になること）を規制する位置となる第１状態（図５）と、第１エッジガイド１２ｂと第２エッジガイド１２ａとの間から退避する第２状態（図３）と、を切り換え可能な規制部２１と、を備えている。
【００６１】
媒体給送装置１０が規制部２１を備えることにより、規制部２１を第１状態（図５）にして載置面１１ａから浮き上がり易い媒体Ｐを押さえ、媒体Ｐにおけるスキューの発生を抑制することができる。  
媒体Ｐに浮きが生じる虞が少なく、規制部２１による媒体押さえが不要な場合には、規制部２１を第２状態（図３）にすることにより、規制部２１を第１状態（図５）にした場合よりも、媒体載置部１１における媒体Ｐの積載可能枚数を多くすることができる。
【００６２】
＜＜＜実施形態の変更例１＞＞＞
図８に、第１実施形態の変更例である媒体給送装置３０を示す。媒体給送装置３０において、規制部３１は、第１実施形態の規制部２１よりも短い２つの規制部３１ａ、３１ｂを備えて構成されている。  
規制部３１ａは、第２エッジガイド１２ａに回動軸３２ａを有し、第２エッジガイド１２ａに収納可能に構成されている。規制部３１ｂは、第１エッジガイド１２ｂに回動軸３２ｂを有し、第１エッジガイド１２ｂに収納可能に構成されている。
【００６３】
図８において、実線で示す規制部３１ａ及び規制部３１ｂは第１状態を示し、点線で示す規制部３１ａ及び規制部３１ｂは、第２エッジガイド１２ａ及び第１エッジガイド１２ｂに収納された第２状態を示している。  
本構成によっても、幅方向のほぼ全域に亘って媒体Ｐの浮きを押さえる構成とすることができる。
【００６４】
規制部３１ａ及び規制部３１ｂは、第１状態において、載置面１１ａに対してほぼ平行になるように配置されているが、後述する第２実施形態の規制部４２のように、規制部３１ａ及び規制部３１ｂの自由端が、第１状態において載置面１１ａに接触するように構成されていてもよい。このことによって、媒体Ｐの中央領域を確実に押さえ、媒体Ｐの載置面１１ａからの浮きを効果的に抑制することができる。
【００６５】
［第２実施形態］
第２実施形態では、図９〜図１２に基づき、規制部の他の例について説明する。  
尚、本実施形態において、第１実施形態と同一の構成については同一の符号を付し、その構成の説明は省略する。  
第２実施形態に係るドキュメントスキャナー４０に設けられる媒体給送装置４１において、規制部４２は、載置面１１ａ上に媒体Ｐが無い状態で第１状態にした場合（図１２において実線で示す規制部４２の状態）に、載置面１１ａに接触するように構成されている点が特徴である。尚、図１１は、媒体Ｐがある状態で第１状態にした場合を示している。
【００６６】
すなわち、媒体給送装置４１は、給送される媒体Ｐを載置可能な載置面１１ａを備える媒体載置部１１と、媒体載置部１１に設けられ、媒体Ｐの給送方向（＋Ｙ方向）と交差する幅方向（Ｘ軸方向）のエッジをガイドするガイド面１３ｂ、１３ａを備える一対の第１エッジガイド１２ｂ及び第２エッジガイド１２ａと、第１エッジガイド１２ｂと第２エッジガイド１２ａとの間において、載置面１１ａに対して媒体Ｐを押し当てる第１状態と、載置面１１ａ上の媒体Ｐから離間した第２状態と、の間で切り換え可能に構成され、第１状態において媒体Ｐの載置面１１ａからの浮きを規制する規制部４２と、を備えている。
【００６７】
規制部４２の第１状態における媒体Ｐの載置面１１ａへの押え力は、例えば、規制部４２の自重によって作用するように構成することができる。また、規制部４２の自重による押え力に加えて、バネ等の押圧部材による押圧力が作用する構成とすることも可能である。  
規制部４２を第１状態とすることにより、規制部４２が媒体Ｐを直接押さえるので、より確実に媒体Ｐの浮き上がりを抑制することができる。以って、規制部４２を第２状態にした場合よりも、媒体Ｐにおけるスキューの発生を抑制することができる。
【００６８】
本実施形態において、規制部４２は、媒体Ｐを給送する給送ローラー１４（給送手段）を内部に有する筐体２に設けられた回動軸４４（図１２）を軸として回動することにより、第１状態（図１１及び図１２において実線で示す規制部４２）と第２状態（図９及び図１２において点線で示す規制部４２）とを切り換える構成である。  
この構成により、構成簡単にして規制部４２を第１状態と第２状態との間で切り換えることができる。
【００６９】
尚、本実施形態において回動軸４４は、筐体２を構成する上部ユニット４において、給送口６の上方に位置する部分に設けられている。また、図１０は、図９に示す第２状態と図１１に示す第１状態との切り替え途中の状態を示している。  
第１実施形態と同様、スキューの発生の虞が低い媒体Ｐを給送する場合には、規制部４２を第２状態とすることにより、規制部４２を第１状態にした場合よりも、媒体載置部１１における媒体積載枚数を確保できる。
【００７０】
本実施形態において、規制部４２の幅方向（Ｘ軸方向）の長さは、幅５０ｍｍのレシートに対応する長さに設定されている。したがって、図１１に示すように、第２エッジガイド１２ａと第１エッジガイド１２ｂとの間を、幅５０ｍｍのレシート（図１１の媒体Ｐ）をガイドする間隔にした場合には、規制部４２が媒体Ｐの幅方向のほぼ全域を押さえることができる。  
第２エッジガイド１２ａと第１エッジガイド１２ｂとの間を、幅８０ｍｍのレシート（図１１の媒体Ｐ）をガイドする間隔にした場合（図示を省略する）には、幅方向の両端部は規制部４２によって押さえられないが、媒体Ｐの幅方向における中央領域を押さえる構成とすることができる。
【００７１】
すなわち、規制部４２は、第１状態に切り換えた場合に、少なくとも媒体Ｐの幅方向における中央領域の載置面１１ａからの浮きを規制するように構成されている。  
規制部４２が、第１状態において、媒体Ｐの幅方向における中央領域を押さえて媒体Ｐの載置面１１ａからの浮きを規制するので、媒体Ｐが載置面１１ａから浮くことを効果的に抑制することができる。  
尚、規制部４２は、媒体Ｐの幅方向の半分以上の長さを押さえる構成とすることが望ましい。
【００７２】
規制部４２は、媒体Ｐとの接触部４３に給送方向に回転するコロローラー等の回転体４５（図１２において点線で示す）を備える構成とすることができる。  
規制部４２が接触部４３に回転体４５を備えることにより、規制部４２が媒体Ｐを押さえることにより生じる搬送抵抗を低減することができる。
【００７３】
＜＜＜実施形態の他の変更例＞＞＞
第１実施形態及び第２実施形態では、媒体給送装置１０、３０、４１を画像読取装置の一例としてのスキャナーに適用したが、この構成に代えて、媒体給送装置１０、３０、４１を記録装置、例えばプリンター等に適用してもよい。
【００７４】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００７５】
１…ドキュメントスキャナー（画像読取装置）、２…筐体、３…下部ユニット、４…上部ユニット、５…排紙トレイ、６…給送口、７…操作パネル、８…第１補助ペーパーサポート、９…第２補助ペーパーサポート、１０…媒体給送装置、１１…媒体載置部、１２ａ…第２エッジガイド、１２ｂ…第１エッジガイド、１３ａ…ガイド面、１３ｂ…ガイド面、１４…給送ローラー（給送手段）、１５…分離ローラー、１６…搬送ローラー対、１７…排出ローラー対、１８…排出口、２０…読取部、２０ａ…上部読取センサー、２０ｂ…下部読取センサー、２１…規制部、２２…受け部、２３…回動軸、２４…収納部、２５…標識、２６…当接部、２７ａ、２７ｂ…位置決め部、３０…媒体給送装置、３１、３１ａ、３１ｂ…規制部、３２ａ、３２ｂ…回動軸、４０…ドキュメントスキャナー（画像読取装置）、４１…媒体給送装置、４２…規制部、４３…接触部、４４…回動軸、４５…回転体、Ｐ…媒体、Ａ…上端、Ｂ…中間位置
【図１】
2019189425.tif 000003
【図２】
2019189425.tif 000004
【図３】
2019189425.tif 000005
【図４】
2019189425.tif 000006
【図５】
2019189425.tif 000007
【図６】
2019189425.tif 000008
【図７】
2019189425.tif 000009
【図８】
2019189425.tif 000010
【図９】
2019189425.tif 000011
【図１０】
2019189425.tif 000012
【図１１】
2019189425.tif 000013
【図１２】
2019189425.tif 000014